(57)【要約】【課題】          ホルダの爪挿入孔の形状を確認するだけで右用或いは左用を瞬時に正確に判断して、従来に比べて耕耘爪の取付け時間の短縮化を図ると共に、耕耘爪の誤組を確実に防止して取付性を向上させる。【解決手段】      耕耘爪軸のホルダに耕耘爪を挿入固定させる耕耘装置において、耕耘爪を挿入させるホルダの爪挿入孔の少なくとも１組の対向する辺形状を異ならせると共に、耕耘爪基部の辺形状をホルダの爪挿入孔の辺形状と同形状とさせる。【選択図】        図６
2005176636.tif 000002
【特許請求の範囲】
【請求項１】
耕耘爪軸のホルダに耕耘爪を挿入固定させる耕耘装置において、耕耘爪を挿入させるホルダの爪挿入孔の少なくとも１組の対向する辺形状を異ならせると共に、耕耘爪基部の辺形状をホルダの爪挿入孔の辺形状と同形状とさせたことを特徴とする耕耘装置。
【請求項２】
ホルダの爪挿入孔の少なくとも１辺に凸部または凹部を設けると共に、耕耘爪基部に爪挿入孔の凸部または凹部に対応する凹部または凸部を設けたことを特徴とする請求項１記載の耕耘装置。
【発明の詳細な説明】
【技術分野】
【０００１】
本発明は、トラクタなど走行機体の後方に装備させるロータリ耕耘作業機などの耕耘装置に関する。  
【背景技術】
【０００２】
従来、耕耘装置に用いる耕耘爪には、右用及び左用の２種類が存在し、耕耘爪軸に設けたホルダに誤組しないように取り付ける必要がある（爪の付け替えには多大な時間がかかるため）。
【０００３】
そこで、ホルダの左右側面を非対象に形成して右用もしくは左用の爪を誤組することなく取り付けるようにしたものがある。（例えば特許文献１参照）
【０００４】
【特許文献１】実開平４−５５２０２号公報
【発明の開示】
【発明が解決しようとする課題】
【０００５】
しかしながら、ホルダの左右いずれかの側面を確認してから爪を取り付ける必要が生じるため、誤組は防止することができるものの取り付けに時間がかかるという不具合が生じる。
【課題を解決するための手段】
【０００６】
そこで本発明は、耕耘爪軸のホルダに耕耘爪を挿入固定させる耕耘装置において、耕耘爪を挿入させるホルダの爪挿入孔の少なくとも１組の対向する辺形状を異ならせると共に、耕耘爪基部の辺形状をホルダの爪挿入孔の辺形状と同形状とさせたものである。
【０００７】
また、ホルダの爪挿入孔の少なくとも１辺に凸部または凹部を設けると共に、耕耘爪基部に爪挿入孔の凸部または凹部に対応する凹部または凸部を設けたものである。
【発明の効果】
【０００８】
而して本発明によれば、耕耘爪軸のホルダに耕耘爪を挿入固定させる耕耘装置において、耕耘爪を挿入させるホルダの爪挿入孔の少なくとも１組の対向する辺形状を異ならせると共に、耕耘爪基部の辺形状をホルダの爪挿入孔の辺形状と同形状とさせたことによって、ホルダの爪挿入孔の形状を確認するだけで右用或いは左用を瞬時に正確に判断して、従来に比べて耕耘爪の取付け時間の短縮化を図ると共に、耕耘爪の誤組を確実に防止して取付性を向上させるものである。
【０００９】
また、ホルダの爪挿入孔の少なくとも１辺に凸部または凹部を設けると共に、耕耘爪基部に爪挿入孔の凸部または凹部に対応する凹部または凸部を設けたことによって、爪挿入孔或いは挿入基部の１辺に凸部或いは凹部を設けるだけの簡単な構成手段で、耕耘爪の誤組を確実に防止して、正確な耕耘爪の交換など容易に可能とさせるものである。
【発明を実施するための最良の形態】
【００１０】
以下、本発明の実施例を図面に基づいて詳述する。図１は全体の側面図、図２は耕耘ロータリ作業機の側面説明図を示し、図中１は農作業車であるトラクタであり、エンジン２を内設させるボンネット３両側に左右の前輪４・４を装設させ、前記ボンネット３後部に丸形操向ハンドル５を設け、該ハンドル５後方に運転席６を設置させ、運転席６両側後方に左右の後輪７・７を装設させ、作業者が運転席６に座乗して走行移動させると共に、トラクタ機体後方に３点リンク機構８を介し耕耘ロータリ９を有する耕耘ロータリ作業機１０を昇降自在に装設させて耕耘作業を行うように構成している。
【００１１】
図２乃至図４に示す如く、前記ロータリ作業機１０はサイドドライブ型で、中央にギヤボックス１１を配置し、ユニバーサルジョイント付ドライブ軸を介してトラクタ１のＰＴＯ軸に入力軸１２を連結して動力を伝え、前記ギヤボックス１１側面より両側方にビーム１３を突出させ、前記ビーム１３の外側端にチェンケース１４上部を固設し、該チェンケース１４下部にロータリ軸である耕耘爪軸１５を横架し、該耕耘爪軸１５上にナタ爪よりなる多数のロータリ爪である耕耘爪１６を側面視で放射状に植設させると共に、該耕耘爪１６の回転軌跡上方をロータリカバー１７によって覆い、両側をサイドカバー１８によって覆っている。そして、該耕耘爪軸１５はギヤボックス１１内のギヤ、ビーム１３内の伝動軸、チェンケース１４内のスプロケット２０・２１及びチェン２２を介して駆動し、耕耘爪軸１５を回転させることによって耕耘を行うようにしている。
【００１２】
また、前記ロータリカバー１７後端に支点軸２３を介してサイドカバー２４を有するリヤカバー２５を揺動自在に連結させている。
【００１３】
図４・図５に示す如く、前記耕耘爪軸１５の外周の放射方向に複数の爪ホルダ２６を突設させ、耕耘爪１６の切り込んでから土を反転させる先端湾曲部を円周方向で交互に左右反対方向に異ならせる状態に耕耘爪１６を爪ホルダ２６にボルト２７を介し挿入固定させている。
【００１４】
図６・図７に示す如く、前記耕耘爪１６を挿入する爪ホルダ２６の爪挿入孔２８は、少なくとも１組の対向する辺形状を異ならせるもので、図６（１）の場合、長方形状の爪挿入孔２８ａの１組の対向する長辺の一方に半円形状の長溝２９を形成させている。
【００１５】
また、この爪挿入孔２８に挿入する耕耘爪１６の長方形の挿入基部３０側面には、長溝２９に対応する同一形状の突起３１ａ・３１ｂを形成させるもので、図７（１Ａ）に示す如き連続的な突起３１ａや図７（１Ｂ）に示す如き一定長さの突起３１ｂの何れでも良く、例えば耕耘爪１６の先端湾曲方向に長溝２９及び突起３１ａ・３１ｂを合わせて、耕耘爪１６の誤組のない正確な取付けを可能とさせるように構成している。
【００１６】
また図６（２）・図７（２）の場合、長方形状の爪挿入孔２８ｂにあって、１組の対向する長辺の一方を凹状円弧面３２に形成させる一方、円弧面３２に対応する耕耘爪１６の挿入基部３０側面を凸状円弧面３３を形成させて、耕耘爪１６の湾曲方向に合わせた正確な取付けを可能とさせている。
【００１７】
さらに図６（３）・図７（３）の場合、長方形状の爪挿入孔２８ｃにあって、１組の対向する長辺の一方を凹状多角面３４に形成させる一方、多角面３４に対応する耕耘爪１６の挿入基部３０側面を凸状多角面３５に形成させて、耕耘爪１６の湾曲方向に合わせた正確な取付けを可能とさせている。
【００１８】
また、図８に示すものは、爪ホルダ２６の爪挿入部に耕耘爪１６の湾曲方向に合わせた矢印３６の刻印（図８（１））、記号或いは文字３７の刻印（図８（２））、図形目印３８の刻印（図８（３））、各種色３９による着色（図８（４））など施す一方、耕耘爪１６の挿入基部３０にも同様の刻印や着色など施して、耕耘爪１６の湾曲方向に合わせた爪ホルダ２６への取付けを行わせるものである。
【００１９】
なお、耕耘爪１６の挿入基部３０に凸状の突起３１ａ・３１ｂや円弧面３３・多角面３５を形成させる構成を示したが、挿入基部３０の側面に凹部を形成させる一方、ホルダ２６の爪挿入孔２８に凹部に対応する凸部を形成させる構成でも良い。
【００２０】
上記からも明らかなように、耕耘爪軸１６のホルダ２６に耕耘爪１６を挿入固定させる耕耘装置において、耕耘爪１６を挿入させるホルダ２６の爪挿入孔２８の少なくとも１組の対向する辺形状を異ならせると共に、耕耘爪１６基部３０の辺形状をホルダ２６の爪挿入孔２８の辺形状と同形状とさせたもので、ホルダ２６の爪挿入孔２８の形状を確認するだけで右用或いは左用を瞬時に正確に判断して、従来に比べて耕耘爪１６の取付け時間の短縮化を図ると共に、耕耘爪１６の誤組を確実に防止して取付性を向上させることができるものである。
【００２１】
また、ホルダ２６の爪挿入孔２８の少なくとも１辺に凸部または凹部である長溝２９・円弧面３２・多角面３４を設けると共に、耕耘爪１６基部３０に爪挿入孔２８の凸部または長溝２９・円弧面３２・多角面３４に対応する凹部または凸部である突起３１ａ・３１ｂ及び円弧面３３・多角面３５を設けたもので、爪挿入孔２８或いは挿入基部３０の１辺に長溝２９など凹部或いは突起３１ａ・３１ｂなど凸部を設けるだけの簡単な構成手段で、耕耘爪１６の誤組などを確実に防止して、正確な耕耘爪１６の交換など容易に可能とさせることができるものである。
【図面の簡単な説明】
【００２２】
【図１】トラクタの全体側面図。
【図２】ロータリ作業機の側面説明図。
【図３】ロータリ作業機の平面説明図。
【図４】耕耘ロータリ部の側面図。
【図５】耕耘ロータリ部の斜視説明図。
【図６】ホルダの爪挿入孔の説明図。
【図７】耕耘爪の挿入基部の説明図。
【図８】耕耘爪に刻印及び着色を施す説明図。
【符号の説明】
【００２３】
１６    耕耘爪
２６    ホルダ
２８    挿入孔
２９    長溝
３０    挿入基部
３１ａ・３１ｂ    突起
３２    円弧面
３３    円弧面
３４    多角面
３５    多角面
【図１】
2005176636.tif 000003
【図２】
2005176636.tif 000004
【図３】
2005176636.tif 000005
【図４】
2005176636.tif 000006
【図５】
2005176636.tif 000007
【図６】
2005176636.tif 000008
【図７】
2005176636.tif 000009
【図８】
2005176636.tif 000010